(57)【特許請求の範囲】
【請求項１】
時刻情報を含むデータが多重された双方向番組の放送信号の受信が可能な受信装置であって、
上記放送信号を受信する受信手段と、
上記放送信号に多重された時刻情報を抽出する手段と、
上記抽出された時刻情報と現在時刻とを比較し、比較結果からユーザに提供されている放送番組が、現在放送中のものであるか否かを識別する識別手段と、
双方向放送番組に対する応答を入力する入力手段と、
上記識別手段により、ユーザに提供されている上記放送番組が現在放送中のものであると識別された場合にのみ上記入力手段を通じて受け付けた上記双方向送番組に対する応答を所定の返信先に返信するようにする通信手段と
を備えることを特徴とする放送信号の受信装置。
【請求項２】
上記入力手段を通じて、上記双方向番組に対する応答操作を受け付けたときに、上記識別手段により、ユーザに提供されている放送番組が、現在放送中のものでないと識別された場合には、上記通信手段による上記双方向番組に対する応答の返信を行わないように制御する制御手段を備えることを特徴とする請求項１に記載の放送信号の受信装置。
【請求項３】
上記入力手段により上記双方向番組に対する応答操作を受け付けたときに、上記識別手段により、ユーザに提供されている放送番組が、現在放送中のものでないと識別された場合には、ユーザに警告を出力する警告手段をさらに備えることを特徴とする請求項１に記載の放送信号の受信装置。
【請求項４】
上記識別手段は、上記抽出された時刻情報と現在時刻との差が、無いか、あるいは、上記時刻情報と上記現在時刻との間において許容される誤差範囲内であるか否かにより、ユーザに提供されている上記放送番組が、現在放送中のものであるか否かを識別することを特徴とする請求項１に記載の放送信号の受信装置。
【発明の詳細な説明】
【０００１】
【産業上の利用分野】
この発明は、例えば双方向テレビ放送などの放送信号の受信装置であって、特に、現在視聴している放送番組が、現在放送中のものであるか否かを識別する放送信号の受信装置に関する。
【０００２】
【従来の技術】
従来、外部入力端子としてビデオ入力端子及び音声入力端子を備えるテレビジョン受像機においては、ユーザーが例えばリモコン操作により入力選択して、テレビ放送入力モードとＶＴＲ入力モードとを切り換えることができる。このように外部入力端子からＶＴＲなどの再生信号を入力して、入力モードを切り換える場合であれば、現在、テレビジョン受像機で視聴している番組が、自装置のチューナで受信した現在放送中のものなのか、あるいはＶＴＲなどから再生されたビデオ信号なのかは、制御部は、自ずと認識して識別することができる。
【０００３】
しかし、ビデオ入力端子のないテレビジョン受像機の場合のように、ＶＴＲの再生ビデオ信号を、ＲＦコンバータによって、テレビジョン受像機の空きチャネルのＲＦ信号に変換してテレビジョン受像機のアンテナ入力とする場合、現在視聴中の信号が、放送中のテレビジョン信号か否かを識別することができず、確実に識別する方法が提供されていない。
【０００４】
【発明が解決しようとする課題】
上記のようにＶＴＲの再生信号をＲＦコンバータによって空きチャンネルのＲＦ信号に変換してアンテナ入力とする場合には、視聴者自身が、視聴している番組が現在放送中のものであるか否かを意識しておく必要が生じ、視聴者自身にとっては煩わしい。
【０００５】
また、外部入力端子を有するテレビ受像機においては、入力モードにより現在放送中か否かを判別するようにもできるが、ＶＴＲがチューナを内蔵しているときは、問題が生じる。すなわち、ＶＴＲの出力がテープ再生信号ではなく、その内蔵チューナの出力であるときには、テレビ受像機で現在視聴している放送番組が、ＶＴＲの内蔵チューナで受信したものか、自装置のチューナで受信したものかは区別できない。
【０００６】
ところで、テレビショッピング、アンケート調査や、視聴者参加型のクイズ番組などにおいて、テレビジョン放送側で、その応答のための受付電話番号が、適宜の時間だけ、スーパーインポーズで画面に表示され、視聴者からの応答は、電話やファクシミリによって行なうようにした双方向テレビ放送が提案されている。
【０００７】
例えば、北米で実験が行なわれている双方向テレビ放送では、応答に必要な返信先電話番号などの情報を視聴者に提供する方法として、その情報がビットマップデータなども含んで、量的に膨大であることから、ほとんどの場合、文字多重方式で、映像信号の垂直ブランキング期間の空き水平期間に多重化して放送する方法が採用されている。
【０００８】
例えば、この双方向テレビ番組をＶＴＲにより録画しておき、放送終了後、例えば、一週間後にこの録画された双方向番組を再生し、視聴したときに、視聴者が、この録画された双方向番組により提供された設問などの応答要求に対して、応答操作を行うと、双方向放送の受信装置は、放送局側へ応答の情報を返信するための返信送信動作を開始してしまう。
【０００９】
しかし、双方向テレビ番組により視聴者に提供される設問などの応答要求に対する応答の返信は、通常、その双方向番組の放送時間内に有効な場合が多い。つまり、ＶＴＲにより録画された過去の双方向番組により提供される応答要求は、双方向番組が過去のものとなった時点で、その即時性は消滅し、この応答要求に対する視聴者の応答の有効性もなくなる。
【００１０】
したがって、ＶＴＲにより録画された過去の双方向番組により提供される応答要求に対して、視聴者が行う応答操作は無意味である。そして、この応答操作に基づいてなされる双方向放送の受信装置からの応答情報の電話回線を通じての返信動作は無駄となり、また、電話料金も無駄に課金されてしまうことになる。
【００１１】
そこで、双方向テレビジョン放送信号の受信装置においては、現在、視聴している信号は、放送中のテレビジョン放送信号か否かを正確に識別することが重要である。
【００１２】
この発明は、以上のことにかんがみ、双方向テレビジョン放送などの即時性が重要な放送信号の受信装置において、現在提供されている番組は、現在放送中の放送信号であるか否かを確実に識別することができる放送信号の受信装置を提供することを目的とする。
【００１３】
【課題を解決するための手段】
時刻情報を含むデータが多重された双方向番組の放送信号の受信が可能な受信装置であって、
上記放送信号を受信する受信手段と、
上記放送信号に多重された時刻情報を抽出する手段と、
上記抽出された時刻情報と現在時刻とを比較し、比較結果からユーザに提供されている放送番組が、現在放送中のものであるか否かを識別する識別手段と、
双方向放送番組に対する応答を入力する入力手段と、
上記識別手段により、ユーザに提供されている上記放送番組が現在放送中のものであると識別された場合にのみ上記入力手段を通じて受け付けた上記双方向送番組に対する応答を所定の返信先に返信するようにする通信手段と
を備えることを特徴とする。
【００１４】
【作用】
上記のように構成したこの発明による放送信号の受信装置においては、その入力信号に多重化されている時刻情報が抽出され、現在時刻と比較される。現在放送中の放送番組の放送信号から抽出された時刻情報であれば、現在時刻に等しいか、あるいは現在時刻とは誤差を見込んだ僅かの時間差しか有しない。一方、例えばＶＴＲからの再生信号の場合には、その再生信号から抽出された時刻情報は、現在時刻とは大きな時間差を有する。
したがって、抽出された時刻情報と現在時刻の比較結果から、現在ユーザに提供されている放送番組が、現在放送中のものかか否かが確実に識別される。
【００１５】
【実施例】
以下、この発明による放送信号の受信装置の一実施例を、双方向テレビ放送の受信装置の場合について図を参照しながら説明する。
【００１６】
最初に、この実施例の双方向テレビ放送について説明する。双方向テレビ放送は、放送局側から後述する各種情報を多重した多重テレビジョン信号を送信することにより、この多重テレビジョン信号を受信した視聴者に対し、設問などの応答要求と応答の情報を入力するための入力手順と返信先に関する情報などを提供する。
【００１７】
双方向テレビ放送の視聴者は、提供された応答要求に対して、応答の情報を入力するための入力手順に基づいて設問に対する選択肢を選択するなどの入力操作を実行し、後述するような応答の情報を作成する。作成された応答の情報は、応答要求を提供した双方向テレビ放送とリアルタイムに、電話回線を介して放送局側の返信先に送信できるものである。また、この視聴者からの応答の情報は、双方向テレビ放送の多重テレビジョン信号により提供された返信先に関する情報に基づいて送信されるものであり、多重テレビジョン信号に多重された返信先の電話番号などにより、自動ダイヤル動作などが実現できる。
【００１８】
この双方向テレビ放送は、クイズ番組、テレビショッピング、テレビオークション、アンケート調査などの視聴者からの応答が、テレビ放送に対し即時性が必要とされる放送番組への応用が考えられる。
【００１９】
この実施例で用いる双方向テレビ放送では、映像信号の垂直ブランキング期間（垂直帰線消去期間）に視聴者側に提供する各種情報が多重されものである。図３に映像信号の垂直ブランキング期間に多重される双方向テレビ放送の副放送情報としての番組関連情報のデータフォーマットの一例を示す。
【００２０】
図３において、８０は、映像信号全体を示しており、映像信号区間８０ａと垂直ブランキング期間８０ｂとからなる。番組関連情報である多重データ８０ｃは、垂直ブランキング期間８０ｂのうちの未使用の１〜４水平走査期間に多重される。多重データ８０ｃは、プログラムの塊のようなものであり、図３に示すように、１フィールド分の垂直ブランキング期間だけでは多重しきれず、複数フィールドの垂直ブランキング期間に渡って一連の多重データが多重されることもある。
【００２１】
次に、テレビジョン信号に多重されるデータのフォーマットについて説明する。データ８０ｃは、映像信号に多重される番組関連情報全体を示している。データ８０ｃは、大きく分けると、時刻情報８１、選択手順情報８２、返信先情報８３、備考８４により構成され、選択手順情報８２、返信先情報８３は、さらに細かい情報に分けられる。
【００２２】
時刻情報８１は、１フィールドごとに更新される現在時刻のデータである。図４は、この時刻情報８１を構成する各データを示す図である。時刻情報８１は、年データ８１ａ，月データ８１ｂ，日データ８１ｃ，曜日データ８１ｄ，時データ８１ｅ，分データ８１ｆ，秒データ８１ｇにより構成される。
【００２３】
前述のように、複数フィールドの垂直ブランキング期間に一連の多重データが多重される場合においては、時刻情報は、１フィールドごとに更新されたものを送信することが可能である。現在日本で採用されているＮＴＳＣ方式のテレビ放送では、１秒間に６０フィールドのテレビジョン信号が送信されている。したがって、秒データ８１ｇは、６０分の１秒単位の精度で更新可能である。
【００２４】
この時刻情報８１は、１フィールドごとに多重することも可能であるし、必要な箇所のみに多重されるようにすることも可能である。
また、時間情報の精度が１／３０秒単位、１／２０秒単位で充分であるときには、２フィールド毎、３フィールド毎に多重するなどのように所定フィールドごとに時刻情報８１を付加することもできる。さらに、上述したように、１つの垂直ブランキング期間だけで、データが多重できる場合であっても、各垂直ブランキング期間に時刻情報８１だけを多重し、時間精度を落とさないように多重することもできる。
【００２５】
選択手順情報８２は、１つのプログラムの塊のようなものである。双方向テレビの視聴者に対し、選択操作を促したり、視聴者の選択操作を制御する情報などである。
【００２６】
選択手順識別情報８２ａは、選択結果を送信する際に、その返信情報に付加して送信することによって、この選択結果が、どの設問、どのアンケート項目、どのクイズ問題に対してのものであるかを、返信先で判断するための識別子である。この情報がないと、遅れて返信されたデータが、どの応答要求に対してのものなのかの判断ができないことになる。
【００２７】
選択手順８２ｂは、双方向テレビの視聴者に選択手順を示すプログラムである。具体的には、テレビ受像機の画面に視聴者の選択操作を要求するメニュー（イメージ表示、文字列表示、動画表示などにより構成される）を表示し、選択手順を示すとともに、視聴者が行った選択操作を受け付ける。さらに選択操作に対し、選択された選択肢の反転表示や点滅表示を行なったり、「選択操作終了」などのメッセージを画面に表示するなどの処理を行なうプログラムである。なお、画面表示だけでなく、音声を併用することもある。
【００２８】
表示／音声データ８２ｃは、選択手順８２ｂで使用されるグラフィック、アニメーション、フォント、動画、あるいは、音声などのデータである。選択手順８２ｂに記述されたプログラムの実行中に呼び出されて使用される。
【００２９】
タイムアウト情報８２ｂは、識別子で表示される選択内容への返信の有効時間及び選択操作を要求するメニュー表示に対し、何等の操作もされない場合に、受信機側で自動的に表示を中止する時の中止するまでのタイムアウトの時間が設定される。
【００３０】
返信先情報８３は、双方向テレビ放送の視聴者が行なった選択操作などにより生成された応答情報の返信先についての情報や、通信環境についての情報が設定される。
【００３１】
通信設定情報８３ａは、返信する時の通信速度、パリティチェックなどのチェック方法の指定と実施の有無、プロトコルの種類の設定、モデムの方式などの通信環境の設定関連情報であり、ここで指定された情報に基づいて、視聴者からの応答情報を返信する環境が整えられる。
【００３２】
電話番号８３ｂは、返信先の電話番号であり、この電話番号があることにより、視聴者は、いちいちダイヤル操作をする必要がなく、簡単な開始操作により自動ダイヤルを実行させ、返信先との電話回線を接続することができる。
【００３３】
その他８２ｃ、その他８３ｃ、備考８４は、将来の拡張性を考慮して設けられており、通常は未使用であるが、その時々において、必要となるデータを設定することもできる。
【００３４】
以上のようなデータが、映像信号の垂直ブランキング期間に多重され放送局より送信される。そして、受信装置は、これを受信して多重されたデータを抽出し、デコードして双方向テレビ番組を提供する。視聴者は、テレビ画面の表示や音声の出力により選択操作や返信動作を開始させる操作を実行することになる。
【００３５】
次に、視聴者側から電話回線を介して放送局側の返信先へ返信されるデータについて説明する。図５は、上記応答の情報のフォーマットの例を示している。視聴者からの応答の情報９０は、大きく分けると、返信データ識別情報９１、チェックデータ９２、返信データ９３、返信先ＩＤ情報９４、返信データ終了コード９５によって構成される。
【００３６】
返信データ識別情報９１は、放送局側の返信先において、送信されてきたデータが、視聴者からの応答の情報であるのか、その他のアクセスによるものかを判別するための識別子として応答の情報の先頭に位置するものである。
【００３７】
チェックデータ９２は、視聴者からの送信時に応答の情報に送信落ちやノイズなどが原因でデータが変化していないかどうか整合をとるためのものであり、データ長９２ａと、整合性チェックデータ９２ｂとにより構成されている。データ長９２ａは、定められたデータフォーマットのデータの長さを示すものである。整合性チェックデータは、パリティチェックやＣＲＣ（冗長度符号検査）などに用いられるチェック用のデータである。
【００３８】
返信データ９３は、選択手順識別情報９３ａ、選択結果情報９３ｂとにより構成され、選択結果情報９３ｂは、選択項目情報ｂ１、視聴者入力データｂ２、選択操作発生時間ｂ３、その他ｂ４により構成されている。
【００３９】
選択手順識別情報９３ａは、視聴者側から送信されてくる応答の情報が、どのメニュー、どの応答要求に対しての応答なのかを判別するためのものである。これにより、電話回線の状態などにより、送信が遅れた場合でも、どのメニュー、どの応答要求に対する応答の情報かが判別できる。
【００４０】
選択項目情報ｂ１は、最終的に視聴者により選択されたメニューや応答要求の項目を示す情報である。視聴者入力データｂ２は、視聴者が選択操作などにより入力したデータである。選択操作発生時間ｂ３は、双方向番組に対してユーザーがリモコンコマンダ３３により実際に応答操作（選択操作）をした時間であり、これにより早押しクイズなどでは、応答情報が返信先に到達した時点ではなく、視聴者が実際に選択操作をした時点が判断できる。
【００４１】
返信元ＩＤ９４は、視聴者固有の識別情報であり、テレビジョン信号の受信装置の製造番号や視聴者の電話番号などであり、これにより応答の情報を送信した視聴者を特定することができるものである。なお、返信元ＩＤは、予め、視聴者により返信先のデータベースに登録されるものである。
【００４２】
返信データ終了コード９５は、応答の情報の終了を示すコードである。
【００４３】
以上のようなデータが、電話回線を介して視聴者側から放送局側へ返信される。そして返信を受けた放送局側の返信先では、正解者の抽出やアンケート結果の集計などが行なわれ、その結果がすぐに双方向テレビ放送に反映されるようにすることもできる。
【００４４】
上述のように双方向テレビ放送は、放送される日時において、視聴者からの返信が有効なものである。ところが、ＶＴＲにより録画されたときにも、垂直ブランキング期間に双方向番組関連情報はそのまま含まれており、この録画された双方向テレビ放送番組を再生した場合にも、放送中の双方向テレビ放送を受信したときと同様に、テレビジョン信号に多重されたデータが抽出され、視聴者に提供される。
【００４５】
したがって、ＶＴＲにより録画された双方向テレビ放送の再生信号による番組を視聴した視聴者が、このＶＴＲでの再生によって提供された応答要求に対する応答の入力操作をすると、無意味に電話回線を介して応答情報を送信することが可能となってしまう。
【００４６】
そこで、この発明では、番組関連情報として放送信号に多重されている時刻情報を利用して、視聴しているテレビジョン番組が、現在放送中のテレビジョン信号のものか否かをテレビジョン信号の受信装置側において、確実に、視聴者が意識することなく識別できるようにしている。
【００４７】
この発明による放送信号の受信装置の一実施例を、上述した双方向テレビ放送信号の受信装置の場合を例にとって、図１及び図２を用いて説明する。
【００４８】
図１において、２００はテレビジョン受信機の信号系であり、３００はその制御系である。
【００４９】
信号系２００において、アンテナで受信された放送電波はチューナ２１に供給される。チューナ２１には制御系３００から選局信号が供給されて、このチューナ２１において所望のチャンネルの放送信号が選択されて中間周波信号に変換される。この中間周波信号は中間周波回路２２に供給される。この中間周波回路２２には、映像復調器２２Ｖと音声復調器２２Ａとが含まれ、映像信号及びオーディオ信号が復調される。
【００５０】
映像復調器２２Ｖからの映像信号は、インプットセレクタ２４を介して映像信号処理回路２５に供給され、この映像信号処理回路２５の出力信号が受像管１６に供給される。
【００５１】
音声復調器２２Ａからのオーディオ信号は、音声多重デコーダ２３に供給される。この音声多重デコーダ２３においては、音声多重のパイロット信号が検出されて、ステレオ音声か、二重音声か、あるいは音声多重ではないかが検出される。そして、ステレオ音声のときには、左右チャンネルのステレオ信号が、また、二重音声のときには、例えば２か国語信号が、それぞれ主音声信号Ｍ及び副音声信号Ｓとしてデコードされ出力される。また、このとき得られた音声多重のパイロット検出出力は、後述するＩ／Ｏポート３９ｂを通じて制御部３００に供給され、音声多重放送であることを報知する。
【００５２】
そして、音声多重デコーダ２３からの信号Ｍ、Ｓが、それぞれインプットセレクタ２４を介して音声信号処理部２７に供給され、この音声信号処理部２７の出力信号が、それぞれアンプ２８Ｌ、２８Ｒを通じて左右のスピーカ２９Ｌ、２９Ｒに供給される。
【００５３】
インプットセレクタ２４には、また、外部入力端子としての映像信号入力端子ＶＩからの映像信号と、音声信号入力端子ＡＵ１、ＡＵ２からの音声信号とが供給される。このインプットセレクタ２４で、中間周波回路２２からの映像信号及び音声多重デコーダ２３からの音声信号を選択するか、外部入力端子ＶＩからの映像信号及び外部入力端子ＡＵ１、ＡＵ２からの音声信号を選択するかは、制御部３００からのユーザーの入力選択操作に応じた制御信号により決まる。図では、制御信号はＩ／Ｏポート３９ｇを介してインプットセレクタ２４に供給されている。
【００５４】
外部入力端子ＶＩ、ＡＵ１、ＡＵ２には、例えばＶＴＲのビデオ出力端子、オーディオ出力端子や、ビデオディスクプレーヤのビデオ出力端子、オーディオ出力端子が接続される。
【００５５】
そして、この例の場合、インプットセレクタ２４からの映像信号は、データスライサ３１に供給される。このデータスライサ３１は、映像信号の垂直ブランキング期間に多重された双方向番組情報を抽出し、デジタル信号に変換し、Ｉ／Ｏポート３９ｃを介して制御部３００に入力する。このため、データスライサ３１は、双方向番組情報が多重されている水平区間の信号を映像信号から抽出するためのゲート回路と、ゲートした信号を２値化デジタル信号に変換するスライス回路とを備えている。
【００５６】
制御部３００はマイクロコンピュータにより構成され、ＣＰＵ３８と、プログラムＲＯＭ３６と、ワークエリア用のＲＡＭ３７と、Ｉ／Ｏポート３９ａ、３９ｂ、３９ｃ、３９ｄ、３９ｅ、３９ｆ、３９ｇ、３９ｈとを備え、これらは、システムバス３０１を介して接続されている。
【００５７】
また、システムバス３０１にはビデオＲＡＭ３２Ｖが接続されている。ビデオＲＡＭ３２Ｖに対してはディスプレイコントローラ３２Ｃが設けられている。このディスプレイコントローラ３２Ｃは、ビデオＲＡＭ３２Ｖに対するビデオデータの読み出し及び書き込みを制御するとともに、読み出したビデオデータをアナログ映像信号に変換する。そして、このディスプレイコントローラ３２Ｃから得られるアナログ映像信号は、映像信号処理部２５に供給され、制御部３００からの映像信号処理部２５の制御と相俟って、インプットセレクタ２４からの映像信号に多重され、あるいは切り換えられて合成される。
【００５８】
ＲＯＭ３６には、前述のような文字多重形式の副放送情報の取り込み処理プログラムのほか、各種の制御プログラムが格納されると共に、表示に用いるフォントやグラフィックのデータも格納される。また、ＲＯＭ３６には、受信装置自身の設定情報やＩＤ情報などが保存される。ＲＡＭ３７は主に演算のための作業領域として利用される。そして、ビデオＲＡＭ３２Ｖは表示に用いられる。
【００５９】
また、リモコンデコード部３５がシステムバス３０１に接続されており、リモコンコマンダ３３からの例えば赤外線リモコン信号は、リモコン信号受信部３４で受信され、リモコンデコード部３５でデコードされ、制御部３００に入力される。
【００６０】
モデム３０は、通信データの変調復調を行なうものであり、電話網に繋がる電話回線に接続されている。また、このモデム３０を介して電話端末を接続することも可能であり、双方向テレビ番組に対する返信と電話端末の使用による通信とを切り換えるＮＣＵ（ネットワーク・コントロール・ユニット）を、このモデム３０は備えている。
【００６１】
４０は、正確な現在時刻を提供するために、この受信装置に内蔵されている時計回路である。この時計回路は、いわゆるカレンダー機能を備え、例えば、水晶振動子を用いた発振器と、この発振器の発振出力を分周して、年、月、曜日、日、時、分、秒の情報を得るカウンタを備える。そして、年、月、曜日、日、時、分、秒の情報をＩ／Ｏポート３９ｈを介して制御部３００に入力する。
【００６２】
次に、上述した構成の受信装置において、双方向番組の受信時の動作について説明する。
【００６３】
インプットセレクタ２４から出力された映像信号は、上述したように映像信号処理部２５に供給されるとともに、データスライサ３１に供給され、映像信号に多重されているデータ（双方向番組の関連情報）が抽出され、デジタル信号とされて、Ｉ／Ｏポート３９ｃを介して制御部３００に取り込まれる。
【００６４】
そして、このデータにより選択手順を指示するメニューなどが受像管２６に表示され、あるいは、音声による入力の指示がされる。このとき、返信先の情報や返信のための通信環境のための情報がＲＡＭ３７に記録される。
【００６５】
こうして、受像管２６に映出される映像と、スピーカ２９Ｒ、２９Ｌにより出力される音声とにより視聴者に双方向テレビ番組が提供される。そして、上述したように、映像信号に多重されたデータにより映出される選択メニューや音声により、視聴者の選択入力などの応答操作が要求される。
【００６６】
これに対応する視聴者が選択入力などの応答操作は、リモコンコマンダ３３により行なわれ、リモコン信号としてリモコン信号受信部３４に供給される。そして、リモコンデコード部３５によりデコードされ、デコードされた内容は、Ｉ／Ｏポート３９ｅを介して制御部３００に入力される。リモコンコマンダ３３で操作した選択入力の内容などは、メニュー画面に表示される。例えば選択入力した選択肢が反転表示されるなどの表示がされる。
【００６７】
そして、応答操作があったとき、制御部３００は、Ｉ／Ｏポート３９ｃより取り込んだ多重データの中の時刻情報と、時計回路４０よりの現在時刻とを比較し、両時刻が一致あるいは両時刻の差が、時計の誤差を見込んだ所定時間差以内であるか否か判別する。そして、両時刻が一致あるいは両時刻の差が、所定時間差以内である場合には、現在放送中の双方向テレビ放送を受信している場合であると判別し、モデム３０を介して、返信先がダイヤルされ、視聴者が行なった選択結果などが送信される。
【００６８】
一方、インプットセレクタ２４からの出力信号が、外部入力端子ＶＩ、ＡＵ１、ＡＵ２を通じた、例えばＶＴＲにより録画された双方向テレビ番組の再生信号である場合には、Ｉ／Ｏポート３９ｃより取り込んだ多重データの中の時刻情報と、時計回路４０よりの現在時刻とを比較すると、両時刻は不一致で、かつ、所定時間以上、隔たったものとなる。これにより、現在視聴中の番組は、現在放送中の番組ではないと判別され、このときは、視聴者の応答操作があっても、応答情報の送信は行わないように制御部３００で制御される。また、視聴者には、応答が受け付けられない旨の警告が発せられる。
【００６９】
なお、外部入力端子ＶＩ、ＡＵ１、ＡＵ２を通じたＶＴＲからの信号であっても、再生信号ではなく、ＶＴＲの内蔵チューナの出力であるときもある。このときには、データスライサで抽出した多重データから得た時刻情報と、時計回路４０の現在時刻とを比較したときには、両者は一致あるいは両者の時間差が所定の時間内となるので、視聴者にそのときに提供されている番組が現在放送中の番組であると正しく識別される。
【００７０】
すなわち、外部入力端子からの信号であっても、それがＶＴＲの内蔵チューナからの信号である場合のように、現在放送中の番組であれば、それを正しく認識して、双方向番組であれば、応答の返信送信動作が行われるものである。
【００７１】
図２は、上記のようにして、受信している放送信号が、現在放送中の放送信号であるか否かを確実に判断して、双方向番組に対する応答情報の送信を制御するようにする制御部３００の制御動作の流れ図である。図２について、以下に説明する。
【００７２】
制御部３００は、双方向テレビ放送に対しての返信要求が発生したかどうかを監視している（ステップ１０１）。双方向テレビ番組を視聴している視聴者が、例えば、双方向番組により出題された問題の解答を選択手順に従って選択し、回答を返信するための返信キーを押下すると、返信動作の開始要求が発生する。この返信動作の開始要求を検知すると、ステップ１０１からステップ１０２に進み、データスライサ３１により抽出され、制御部３００でデコードされた多重データに時刻情報（ＴＴ）が含まれているか否かを検出する（ステップ１０２）。
【００７３】
多重データに時刻情報（ＴＴ）が存在した場合、内蔵の時計回路（ＲＴＣ）４０から現在時刻ＲＴを読み取る（ステップ１０３）。そして、時刻情報ＴＴと、時計回路４０からの現在時刻ＲＴとの差Ｔをもとめ（ステップ１０４）、差Ｔの絶対値｜Ｔ｜が所定の範囲内にあるかどうかを判断する（ステップ１０５）。所定の範囲は、時計回路４０の誤差を考慮したものであり、例えば±２〜±３分程度に設定される。このステップ１０５において、時間の差Ｔの絶対値が所定の範囲内にあれば、返信動作、すなわち、応答情報のモデム３０を介しての送信の処理が開始される（ステップ１０６）。
【００７４】
ステップ１０２において、多重データがない、あるいは、多重データの中に時刻情報がないと判別された場合と、ステップ１０５において時間差Ｔの絶対値が所定の範囲外であった場合には、「応答できません」などの警告メッセージを受像管２６に表示させたり、警告音をスピーカ２９Ｒ，２９Ｌから出力する（ステップ１０７）。そして、応答情報の送信動作は開始させない。
【００７５】
なお、図１と図２の実施例では、現在時刻を受信装置が内蔵している時計回路４０により提供した。しかし、図１の実施例の受信装置は、モデム３０を有しているので、例えば、デジタルデータによる時報サービスを行なう時報サービス局があれば、このサービス局へモデム３０と電話回線を介して通信し、このサービス局から現在時刻情報を得て、多重データから抽出した時刻情報と比較することもできる。
【００７６】
また、図２では、時刻情報（ＴＴ）と現在時刻（ＲＴ）との差（Ｔ）が所定の範囲内にあるか否かにより、視聴している番組は放送中の番組か否かを識別した。しかし、上述のように、デジタルデータによる時報サービスを行なう時報サービス局からの正確な現在時刻情報があれば、この時報サービス局の時刻情報と、これと同等の精度の放送局からの多重データに含まれる時刻情報とが一致したときに、現在放送中の番組を視聴していると判断するようにしてもよい。
【００７７】
また、内蔵の時計回路４０の時刻を常に正確に保持するために、時刻修整のためのキーを設け、このキーを操作したときに時報サービス局に自動ダイヤルし、上記時報サービス局からの時刻情報により時刻修正を行うようにしてもよい。
【００７８】
なお、放送信号に多重される時刻情報を常時または必要に応じて随時に、受像管２６に表示（例えば、スーパー・インポーズなどにより）することが可能である。このように、視聴中の番組の信号から抽出した時刻情報を画面に表示した場合には、この画面の表示時刻からユーザは、現在視聴中の番組が、現在放送中の番組であるか否かを認識することも可能である。
【００７９】
そして、放送信号から抽出した時刻情報に、内蔵の時計回路４０の時間合わせをするキーを、例えばリモコンコマンダや受信装置に設け、この時間合わせキーを操作して、時計回路４０を常に放送局の時刻情報に合った正確な時刻に合わせることができる。このとき、前記の画面の時刻表示により現在放送中の番組から抽出した時刻情報であることを確認するとよい。
【００８０】
また、多重データの時刻情報ＴＴと時計回路４０が提供する現在時刻ＲＴの比較結果により、「テレビ」、「ビデオ」などと、現在視聴中の番組ソースを、受像管２６に表示させることも可能であり、さらには、これらの表示は視聴者の操作により、必要なときに表示して、それ以外では表示させないようにすることも可能である。
【００８１】
なお、上述したような双方向テレビ放送に限らず、放送信号に多重されるデータが、放送される日時において意味を成すデータである場合の多重放送において、この発明による放送信号の受信装置は有効である。
【００８２】
そして、音声多重の副音声信号としてデータを多重したり、多重データを搬送するために主放送信号としての映像信号や音声信号とは別の帯域の信号を用いる多重放送の場合にも、多重データの抽出、デコード処理の部分を変更するだけで対応することができる。
【００８３】
さらに、ラジオ放送、衛生放送、ケーブルテレビ放送の場合でも、この発明による放送信号の受信装置は有効である。ケーブルテレビのときには、応答の送信は双方向ケーブルを介して行うようにもできる。
【００８４】
【発明の効果】
以上説明したように、この発明によれば、ユーザに提供されている放送番組が、現在放送中の番組か、ＶＴＲなどにより再生された番組かを意識することなく視聴することができる。そして、双方向番組のときには、ＶＴＲなどにより再生された番組を視聴しているときに、誤って返信操作をしても返信操作を実行しないように制御することができる。
【００８５】
また、誤動作による双方向テレビ番組への返信動作を防ぎ、不必要な返信動作のための電話回線の使用を防止できるため、電話回線の負荷を軽減し、無駄な電話料金の節約にもなる。
【００８６】
さらに、この発明によれば、放送信号に多重されている時刻情報と、現在時刻とを比較して、現在放送中の番組であるか否かを識別するようにしたので、例えばＶＴＲの内蔵チューナを用いて双方向テレビ番組を視聴しているときにも、双方向テレビ番組に参加することができる。
【図面の簡単な説明】
【図１】この発明による放送信号の受信装置の一実施例の構成を示すブロック図である。
【図２】この発明による放送信号の受信装置の一実施例の動作を説明するためのフローチャートである。
【図３】図１の実施例の説明で用いる双方向テレビ放送において、放送信号に多重されるデータのフォーマットの例を示す図である。
【図４】図１の実施例の説明で用いる双方向テレビ放送において、放送信号に多重される時刻情報について説明するための図である。
【図５】図１の実施例の説明で用いる双方向テレビ放送において、視聴者側から返信される返信データのフォーマットの例を示す図である。
【符号の説明】
２１    チューナ
２２    中間周波回路
２３    音声多重デコーダ
２４    インプットセレクタ
２５    映像信号処理部
２６    受像管
２７    音声信号処理部
２８Ｒ，２８Ｌ    アンプ
２９Ｒ，２９Ｌ    スピーカー
３０    モデム
３１    データスライサ
３２    ビデオＲＡＭ
３３    リモコン
３４    リモコン信号受信部
３５    リモコンデコード部
３６    ＲＯＭ
３７    ＲＡＭ
３８    ＣＰＵ
４０    ＲＴＣ
３００    制御部
【図１】
0003562530.tif 000002
【図２】
0003562530.tif 000003
【図３】
0003562530.tif 000004
【図４】
0003562530.tif 000005
【図５】
0003562530.tif 000006